(57)【要約】      （修正有）【課題】聲明の音位（ウ、六など）と１２律音階（壱越、断金など）との関係を視覚化した聲明習得促進具となる聲明十二律羅針盤を提供する。【解決手段】聲明十二律羅針盤１は、表面に１２の区画に分割した円を描き、当該区画内に聲明の音位を表示した１段目文字盤１０の上段に、周端部に聲明の音階名を表示した円形形状の２段目文字盤２０を配置し、１段目文字盤１０上及び２段目文字盤２０上の孔を留め具３０で回動可能に固定するとともに、２段目文字盤２０の表面には大小２つの同心円を描き視覚性を向上させている。【選択図】図１
0003189770.tif 000002
【実用新案登録請求の範囲】
【請求項１】
中央又は中央部近傍に孔を有し表面に複数の区画に分割した円を描いた１段目文字盤と、
前記１段目文字盤よりも上段に配置する円形形状でかつ当該円形形状の中心に孔を有する２段目文字盤と、
前記１段目文字盤上の孔及び前記２段目文字盤上の中心孔を貫通し前記２段目文字盤を回動可能に固定する留め具と、
で構成し、
前記１段目文字盤上の円内の分割された複数の区画内に聲明の音位を表示するとともに、前記２段目文字盤上の円周端に聲明の音階名を表示する聲明十二律羅針盤。
【請求項２】
前記１段目文字盤について、縦方向の長さ及び横方向の長さが同一の四角形形状である請求項１に記載の聲明十二律羅針盤。
【請求項３】
前記留め具について、前記１段目文字盤上の孔に挿入する留め具底体と前記２段目文字盤上の中心孔に挿入し前記留め部底体と嵌合する留め具頭体とで構成する請求項１又は請求項２に記載の聲明十二律羅針盤。
【考案の詳細な説明】
【技術分野】
【０００１】
本願考案は、聲明（しょうみょう）の音位と１２律音階との関係を視覚化する聲明十二律羅針盤（聲明習得促進具）に関するものである。
【背景技術】
【０００２】
聲明を習得するための方法として、聲明指導者の唱え又は楽器等から出力される音を聞き同様に発声をするという方法が採用されている場合が多い。
【０００３】
後者の場合において、聲明訓練者自身が楽器（鍵盤楽器など）を操作することが可能であれば、聲明指導者の唱えと比較的に近似する出力音（楽器音）を聞きながら発声をすることが可能となる。
【０００４】
つまり、自己訓練が可能となるため習得期間を短縮することができる等のメリットにつながり聲明訓練者にとって好ましい環境を提供することができる。
【０００５】
しかしながら、前記楽器を操作するにあたっては聲明の音位と１２律音階との関係について知っておく必要があり、音楽理論について知見の乏しい聲明訓練者にとっては障壁のひとつとなっていた。
【０００６】
構造が本願考案と比較的近い筝三絃の回転式調絃早見表の考案というものが存在しているが、聲明訓練者がそのまま利用できるものではないと想定する。
【先行技術文献】
【特許文献】
【０００７】
【特許文献１】実開平３−１４６９６号公報
【考案の概要】
【考案が解決しようとする課題】
【０００８】
上述したように、聲明訓練者自身が楽器を操作することができれば、自己訓練により聲明の習得期間を短縮することができる等のメリットがある。
【０００９】
そこで、本願考案が解決しようとする課題は、聲明の音位と１２律音階との関係を視覚化する聲明十二律羅針盤（聲明習得促進具）を提供することである。
【００１０】
これにより、音楽理論について知見の乏しい聲明訓練者であったとしても、聲明の自己発声訓練が可能となる。
【課題を解決するための手段】
【００１１】
本願考案は、上記の課題を解決するために、中央又は中央部近傍に孔を有し表面に複数の区画に分割した円を描いた１段目文字盤と、前記１段目文字盤よりも上段に配置する円形形状でかつ当該円形形状の中心に孔を有する２段目文字盤と、前記１段目文字盤上の孔及び前記２段目文字盤上の中心孔を貫通し前記２段目文字盤を回動可能に固定する留め具とで構成し、前記１段目文字盤上の円内の分割された複数の区画内に聲明の音位を表示するとともに、前記２段目文字盤上の円周端に聲明の音階名を表示する聲明十二律羅針盤を提供する。
【００１２】
また、本願考案は、上記の課題を解決するために、中央又は中央部近傍に孔を有し表面に複数の区画に分割した円を描いた１段目文字盤と、前記１段目文字盤よりも上段に配置する円形形状でかつ当該円形形状の中心に孔を有する２段目文字盤と、前記１段目文字盤上の孔及び前記２段目文字盤上の中心孔を貫通し前記２段目文字盤を回動可能に固定する留め具とで構成し、前記１段目文字盤について、縦方向の長さ及び横方向の長さが同一の四角形形状であり、前記１段目文字盤上の円内の分割された複数の区画内に聲明の音位を表示するとともに、前記２段目文字盤上の円周端に聲明の音階名を表示する聲明十二律羅針盤を提供する。
【００１３】
また、本願考案は、上記の課題を解決するために、中央又は中央部近傍に孔を有し表面に複数の区画に分割した円を描いた１段目文字盤と、前記１段目文字盤よりも上段に配置する円形形状でかつ当該円形形状の中心に孔を有する２段目文字盤と、前記１段目文字盤上の孔に貫通挿入する留め具底体と前記２段目文字盤上の中心孔に貫通挿入し前記留め部底体と嵌合する留め具頭体とからなり、前記２段目文字盤を回動可能に固定する留め具と、で構成し、前記１段目文字盤上の円内の分割された複数の区画内に聲明の音位を表示するとともに、前記２段目文字盤上の円周端に聲明の音階名を表示する聲明十二律羅針盤を提供する。
【考案の効果】
【００１４】
本願考案の聲明十二律羅針盤は、聲明の音位と１２律音階との関係を視覚化した聲明習得促進具であるため、音楽理論について知見が乏しい者であったとしても、楽器を操作しながら聲明の自己発声訓練を行うことが可能となる。また、２段目文字盤の形状が円形形状であるため１段目文字盤上に描いた円と相俟って視覚性に優れる。
【００１５】
また、本願考案の聲明十二律羅針盤は、１段目文字盤の形状及び大きさについて、縦横の長さが同一である角丸四角形状であるため、操作性に優れる。
【００１６】
また、本願考案の聲明十二律羅針盤は、留め部底体及び前記留め部底体と嵌合する留め部頭体で構成する一対の留め具で１段目文字盤及び２段目文字盤を固定するため、保守性に優れる。
【図面の簡単な説明】
【００１７】
【図１】図１は聲明十二律羅針盤の構成及び作動を示す全体正面図である。
【図２】図２は１段目文字盤の構成を示す正面図である。
【図３】図３は２段目文字盤の構成を示す正面図である。
【図４】図４は聲明十二律羅針盤の構成を示す全体側面図である。
【考案を実施するための形態】
【００１８】
聲明十二律羅針盤の２段目文字盤を回転しながら聲明の音位と１２律音階との関係を学習する或いは聲明十二律羅針盤の表示を確認しながら鍵盤楽器を弾き聲明の発声訓練を行う。
【実施例１】
【００１９】
まずは、聲明十二律羅針盤の構成について、図１から図４に従い説明する。
【００２０】
聲明十二律羅針盤（１）は、角を丸く成形した四角形形状で中央に孔を有する厚さ約２ミリメートルの厚紙製の１段目文字盤（１０）と、円形形状で中心に孔を有する厚さ約２ミリメートルの厚紙製の２段目文字盤（２０）と、前記１段目文字盤上及び前記２段目文字盤上のそれぞれの孔を貫通して固定する金属製の留め具（３０）と、で構成する（図１）。
【００２１】
前記１段目文字盤（１０）上の表面には、略中央に直径約１０センチメートルの円を描き、その内部を等間隔で放射状に１２の区画に分割している（図２）。
【００２２】
前記１２の区画内には、時計回り方向にウ（きゅう）、空白、六（しょう）、嬰六（えいしょう）、呂夕（ろかく）、律夕（りっかく）、反山（へんち）、山（ち）、空白、下ヨ（げう）、上ヨ（じょうう）、反ウ（へんきゅう）の順で聲明の音位を記載している（図２）。
【００２３】
また、前記１段目文字盤（１０）の形状及び大きさについて、縦方向の長さが約１１センチメートル、横方向の長さが約１１センチメートルの角を丸く成形した四角形形状としている。これは、前記１段目文字盤のいずれの位置を保持したとしても操作がスムーズに行い得る操作性と、操作時に角が引っかからないという操作性を考慮するともに、一定程度の大きさとすることで携帯性をも考慮した形状及び大きさである（図２）。
【００２４】
また、前記１段目文字盤（１０）上の孔について、前記１段目文字盤上の中央（中心も含まれる）又は中央部近傍に位置し、直径は約２ミリメートルである（図２）。
【００２５】
前記２段目文字盤（２０）の形状及び大きさについて、直径約８センチメートルの円形形状としている。これは視覚性及び操作性を考慮した形状及び大きさである（図３）。
【００２６】
前記２段目文字盤（２０）の表面には、前記２段目文字盤上の中心孔と中心を同一にする直径約６センチメートルの大きい同心円及び直径約４センチメートルの小さい同心円を描いている（図３）。
【００２７】
前記大きい同心円と前記２段目文字盤の円周端部との間の空間は、等間隔で１２の区画に分割している（図３）。
【００２８】
前記２段目文字盤（２０）の円周端縁部に位置する（前記大きい同心円よりも外周に位置する）当該１２の区画内には、時計回り方向に壱越、断金、平調、勝絶、下無、双調、鳧鐘、黄鐘、鸞鏡、盤渉、神仙、上無の順で聲明の音階名を記載している（図３）。
【００２９】
前記大きい同心円と前記小さい同心円との間の空間も、等間隔で１２の区画に分割している（図３）。
【００３０】
前記大きい同心円よりも内周に位置する当該１２の区画内には、聲明の音階に対応する西洋音楽の音階（洋楽平均律調）を記載している。具体的には、壱越の下にＤ、断金の下は黒塗り（空白）、平調の下にＥ、勝絶の下にＦ、下無の下は黒塗り（空白）、双調の下にＧ、鳧鐘の下は黒塗り（空白）、黄鐘の下にＡ、鸞鏡の下は黒塗り（空白）、盤渉の下にＢ、神仙の下にＣ、上無の下は黒塗り（空白）を記載している（図３）。
【００３１】
これにより、音楽理論について知見を有する聲明訓練者は、より聲明（しょうみょう）の音位と１２律音階との関係が明確になり聲明の習得がさらに促進し得るものと考える。
【００３２】
前記２段目文字盤（２０）は、前記１段目文字盤の上部に重ねて上段に配置する（図１）。
【００３３】
前記留め具（３０）は、前記１段目文字盤（１０）上の孔に裏面より挿入する留め具底体（３１）と、前記２段目文字盤（２０）上の中心孔に表面より挿入する留め具頭体（３２）とで構成する（図４）。
【００３４】
前記留め具底体（３１）は、軽量化のために中空の円筒形状としているが中実であっても良いものとする。また、前記留め具頭体と対応していれば円筒形状以外の形状でも良いものとする。
【００３５】
前記留め具底体（３１）は、金属製であるが一定程度の強度を保つことができれば異なる材質でも良いものとする。
【００３６】
前記留め具頭体（３２）の下方部は、前記留め具底体の上端部径よりも僅かに大きい内径を有する円筒形状としている。これは、前記留め具底体の上端部と嵌合し一体化させるためである（図４）。
【００３７】
前記留め具頭体（３２）の上方部は、前記留め具頭体の下方への抜け落ちを防止するため前記２段目文字盤の孔よりも大きくしている（図４）。
【００３８】
前記留め具頭体（３２）は、金属製であるが一定程度の強度を保つことができれば異なる材質でも良いものとする。
【００３９】
また、前記留め具頭体（３２）は、前記留め具底体と対応し嵌合一体化できれば円筒形状以外の形状でも良いものとする。
【００４０】
また、前記留め具（３０）の構成について、前記２段目文字盤を回動可能に留め固定できれば上記以外の構成を採用することも可能である。
【００４１】
次に、聲明十二律羅針盤の作動について、図１に従い説明する。
【００４２】
２段目文字盤（２０）を右向き矢印方向（時計回り方向）又は左向き矢印方向（反時計回り方向）のいずれかに回転し、１段目文字盤（１０）のウ（きゅう）位置に、必要とする聲明の音階名が配置するように合わせる。
【００４３】
例えば、前記１段目文字盤（１０）上のウ（きゅう）位置に、前記２段目文字盤（２０）上の壱越が配置するように合わせると、自動的に六（しょう）と平調、嬰六（えいしょう）と勝絶、呂夕（ろかく）と下無、律夕（りっかく）と双調、反山（へんち）と鳧鐘、山（ち）と黄鐘、下ヨ（げう）と盤渉、上ヨ（じょうう）と神仙、反ウ（へんきゅう）と上無が上下（外内）に表示される（壱越調の表示となる）。
【産業上の利用可能性】
【００４４】
本願考案の聲明十二律羅針盤は、聲明の習得を望む者（特に、聲明訓練初期の者）にとって利便性が高く、かつ、視覚性、操作性、保守性及び携帯性に優れた聲明習得促進具であるため、産業上の利用性を有する。
【符号の説明】
【００４５】
１    聲明十二律羅針盤（聲明習得促進具）
１０  １段目文字盤
２０  ２段目文字盤
３０  留め具
３１  留め具底体
３２  留め具頭体
【図１】
0003189770.tif 000003
【図２】
0003189770.tif 000004
【図３】
0003189770.tif 000005
【図４】
0003189770.tif 000006